(57)【要約】【課題】従来、酸素を浴槽内に供給した場合、大きな気泡径で発生するため、浴槽湯内に溶け込む酸素濃度が低いという課題を有していた。【解決手段】ポンプ１５により浴槽１２の湯が循環する浴槽湯循環装置１０の循環回路１４に、浴室１６の天井部１６へ載置した酸素富化装置１７からの高濃度酸素空気を加圧溶解して混入させ、浴槽１２内へ多量の微細気泡として噴出させる構成とすることで、過飽和な酸素気泡湯質で静かなリラックス入浴が楽しめる。【選択図】図１
2005245747.tif 000002
【特許請求の範囲】
【請求項１】
浴槽の湯が循環する浴槽湯循環装置と、浴槽の湯を循環させる循環回路と、高濃度の酸素を供給する酸素富化装置と、前記循環回路へ導入する酸素配管と、酸素を浴槽の湯に溶け込ませる加圧溶解部とを有し、前記酸素富化装置を浴槽の天井部に設けるとともに、前記加圧溶解部により酸素を前記浴槽へ微細気泡として発生させる酸素富化浴槽装置。
【請求項２】
酸素富化装置を浴槽湯循環装置へ内蔵し、前記浴槽湯循環装置を浴槽近傍のエプロンの下部に設けた請求項１記載の酸素富化浴槽装置。
【請求項３】
酸素富化装置を浴槽湯循環装置へ内蔵し、前記浴槽湯循環装置を浴室外へ設けた請求項１記載の酸素富化浴槽装置。
【請求項４】
酸素富化装置に二次電池を内蔵し充電方式で駆動し、前記酸素富化装置を浴室内のエプロン上部等に設置し、酸素供給配管と、前記酸素供給配管の先端に設けたフィルターから浴槽内に微細気泡を放出する酸素富化浴槽装置。
【請求項５】
酸素富化装置にフィルターを内蔵し防水構成とし、送風ファンと空気導入路と空気排出路をエプロンの上部等に設け、浴槽内へ水没させて前記浴槽内に微細気泡を放出する請求項４記載の酸素富化浴槽装置。
【発明の詳細な説明】
【技術分野】
【０００１】
本発明は、浴槽の湯を循環させる回路に、高濃度の酸素を加圧混入し浴槽内の浴槽湯へ多量の微細気泡として放出する酸素富化浴槽装置に関するものである。
【背景技術】
【０００２】
従来の酸素富化浴槽装置は、浴槽湯循環回路の浴槽水に高濃度の酸素を供給するものがある（例えば特許文献１参照）。図６は、特許文献１に記載された従来の酸素富化浴槽装置を示すものである。図６に示すように、浴槽１の湯水を循環させるポンプ２と管路３に気体を供給する供給部４を設け、供給部４に酸素富化空気を供給する酸素富化装置５を設け、浴槽１には吸入口６と吹き出しノズル７を設けて構成される。通常の浴槽湯循環装置は浴室８内の浴槽１近傍へ設置される。
【特許文献１】特開平４−２３４７号公報
【発明の開示】
【発明が解決しようとする課題】
【０００３】
しかしながら上記特許文献１の従来の酸素供給装置では、浴槽湯循環回路と酸素富化装置を浴室８内に設置し、浴槽湯を循環させる回路へ高濃度の酸素を供給する構成である。酸素富化された空気は浴槽１内へ気泡径が数ミリメートル程度の大きな気泡として噴出されるため、浴槽湯水へ溶け込む酸素濃度は湯温４０℃で約１０ＰＰＭ程度までであり酸素の効果があまり期待できないという課題を有していた。
【０００４】
本発明は前記従来の課題を解決するもので、浴槽湯循環装置と酸素富化装置を設け、高濃度の酸素を浴槽湯循環回路へ供給した後、加圧溶解して高濃度の酸素を浴槽湯循環回路に溶け込ませ、減圧することで微細気泡を多量に浴槽内へ噴出させる構成とすることで、浴槽湯が高濃度の酸素で過飽和な状態を同時に実現できる酸素富化浴槽装置を提供することを目的とする。
【課題を解決するための手段】
【０００５】
前記従来の課題を解決するために、本発明の酸素富化浴槽装置は、浴槽の湯が循環する浴槽湯循環装置と、浴槽の湯を循環させる循環回路と、高濃度の酸素を供給する酸素富化装置と、前記循環回路へ導入する酸素配管と、酸素を浴槽の湯に溶け込ませる加圧溶解部とを有し、前記酸素富化装置を浴槽の天井部に設けるとともに、前記加圧溶解部により酸素を前記浴槽へ微細気泡として発生させる構成としたものである。
【０００６】
これによって、酸素富化装置で高濃度にした酸素は酸素配管を通過して浴槽湯の循環回路に混入し、加圧溶解部にて溶解し、浴槽へと送られ微細気泡として浴槽内へ噴出する。
【発明の効果】
【０００７】
本発明の酸素富化浴槽装置は、高濃度酸素空気の微細気泡入浴とリラックスする事の可能な浴室空間で入浴を楽しむことができる。
【発明を実施するための最良の形態】
【０００８】
第１の発明は、浴室内に設けた浴槽湯循環装置と、浴室外に酸素富化装置を設け、高濃度の酸素を浴槽湯循環回路へ供給した後、加圧溶解して浴槽まで循環させ、多量の微細気泡として浴槽内へ噴出させる構成とすることで、浴槽湯が高濃度の酸素で過飽和な状態を同時に実現することができる。
【０００９】
第２の発明は、特に、第１の発明の酸素富化装置を浴槽湯循環装置へ内蔵し浴槽近傍のエプロン下部に設けることにより、一体型で多量の微細気泡を発生することができる。
【００１０】
第３の発明は、特に、第２の発明の浴槽湯循環装置に内蔵した酸素富化装置を浴室外へ設けることにより、浴室内の騒音を低下させることができる。
【００１１】
第４の発明は、酸素富化装置に二次電池を内蔵し充電方式で駆動すると共に、酸素供給配管の先端にフィルターを設けることで高濃度の酸素を微細気泡として浴槽内へ噴出させる構成とすることで、浴槽湯が高濃度の酸素で過飽和な状態を実現することができる。
【００１２】
第５の発明は、特に、第４の発明の酸素富化装置へフィルターを内蔵すると共に、送風装置と空気導入口と空気排出口をエプロン上部等に設け、酸素富化装置を防水構成とすることで浴槽内へ投入することが可能となり高濃度酸素の微細気泡が発生するので、工事等の作業が不要となる。
【００１３】
以下、本発明の実施の形態について、図面を参照しながら説明する。従来例および各実施の形態において、同じ構成、同じ動作をする部分については同一符号を付与し、詳細な説明を省略する。なお、この実施の形態によって本発明が限定されるものではない。
【００１４】
（実施の形態１）
図１は本発明実施例１の酸素富化浴槽装置のシステム全体構成図である。
【００１５】
図１において、浴槽湯循環装置１０は、浴室１１内の浴槽１２のエプロン１３下部に設けられており、循環回路１４に設けられたポンプ１５により浴槽１２内のお湯を循環する。浴室１１の天井部１６に設けた酸素富化装置１７は酸素富化膜１８と、送風ファン１９と、真空ポンプ２０と、逆止弁２１と、空気切り替弁２２で構成され、浴室外の空気から高濃度にした酸素富化空気は酸素配管２３を通過して空気吸込口２４へ入り循環回路１４へ混入する。浴槽１２には浴槽湯が循環する吸込口２５及び吐出口２６が形成されている。吸込口２５には循環回路１４を介してポンプ１５が連結されるとともに、このポンプ１５には、高濃度酸素を吸い込む空気吸込口２４が連結されている。また、ポンプ１５の下流側には溶解タンク２７が配置され、ポンプ１５と溶解タンク２７との間は循環回路１４によって連通されている。そして、浴槽１２の吐出口２６には微細気泡発生部２８が設けられ、溶解タンク２７と微細気泡発生部２８との間は、循環回路１４により連通されている。
【００１６】
以上のように構成された酸素富化浴槽湯循環装置について、以下その動作・作用を説明する。
【００１７】
真空ポンプ２４で減圧されることで浴室１１外の空気が酸素富化膜２２を通過し、高濃度の酸素（約３０％）空気となり、酸素配管３０を通過し、溶解タンク１７内へ貯められ循環回路１４に混入され、吐出口１６から循環された浴槽湯と共に浴槽１２へ噴出する。
【００１８】
ポンプ１５を運転するとポンプの吸引力が生じて、浴槽１２内の湯は吸込口２５から、空気吸込口２４からは酸素空気が、循環回路１４を介してポンプ１５内に吸い込まれ、ポンプ１５内から循環回路１４を経て溶解タンク２７にかけての高圧部で酸素空気は湯に加圧溶解される。そして、溶解タンク２７内では溶解しきれなかった酸素空気が余剰空気として分離され、溶解空気を含有する湯は混気水となり、循環回路１４を通って微細気泡発生部２８に搬送される。微細気泡発生部で減圧され微細気泡を多量に発生させることができるようになる。
【００１９】
この結果、入浴者は浴室１１外の空気から得られた高濃度の酸素を吸いながら入浴することが可能で、入浴と高濃度酸素吸入と静かな微細気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２０】
（実施の形態２）
図２は本発明の第２の実施の形態における酸素富化浴槽装置の全体構成図である。なお、第１の実施の形態の酸素富化浴槽装置と同一構造のものは同一符号を付与し、説明を省略する。図２において、第１の実施の形態の構成と異なるところは、酸素富化装置を浴槽湯循環装置に内蔵し浴槽近傍のエプロン１３の下部に設けている点にある。
【００２１】
以上の構成で、その動作、作用について説明する。エプロン１３の下部に酸素富化浴槽装置１７を設けた構成であるため、酸素富化装置１７を別設置する必要が無く設置工事が簡単になると共に、酸素配管が不要であるため部品点数を削減できる。
【００２２】
この結果、入浴者は高濃度の酸素を吸いながら入浴することが可能で、入浴と高濃度酸素吸入と微細気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２３】
（実施の形態３）
図３は本発明の第３の実施の形態における酸素富化浴槽装置の全体構成図である。なお、第１の実施の形態および第２の実施の形態の酸素富化浴槽装置と同一構造のものは同一符号を付与し、説明を省略する。図３において、第１の実施の形態および第２の実施の形態の構成と異なるところは、酸素富化装置１７を内蔵した浴素湯循環装置１０を浴室１６外へ設けている点にある。
【００２４】
以上の構成とすることにより、酸素富化運転を行っても浴室内へ騒音が伝わりにくく静かでリラックスできる浴室空間を実現できる。
【００２５】
（実施の形態４）
図４は本発明の第４の実施の形態における酸素富化浴槽装置の全体構成図である。酸素富化装置に二次電池を内蔵し充電方式で駆動し、酸素富化装置を浴室内のエプロン１３上部等に設置し、酸素供給配管３０と、酸素供給配管３０の先端にフィルター３１を設けている。
【００２６】
以上の構成で、その動作、作用について説明する。図に示す実施の形態の酸素富化浴槽装置において酸素富化装置１７を運転することにより、高濃度の酸素を真空ポンプ２０で生成し、酸素供給配管３０を介して先端のフィルター３１へ導かれ、フィルター３１で微細気泡にすることで高濃度の酸素微細気泡を浴槽湯中に放出することができる。
【００２７】
この結果、入浴者は高濃度の酸素を吸いながら入浴することが可能で、入浴と高濃度酸素吸入と微細気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【００２８】
（実施の形態５）
図５は本発明の第５の実施の形態における酸素富化浴槽装置の全体構成図である。なお、第４の実施の形態の酸素富化浴槽装置と同一構造のものは同一符号を付与し、説明を省略する。図５において、第４の実施の形態の構成と異なるところは、送風ファン１９をエプロン１３の上部へ設け、送風ファン１９と酸素富化装置１０を空気導入路３２と空気排出路３３で連結し、酸素富化装置１０にフィルター３１を内蔵し防水構成としている点にある。
【００２９】
以上の構成で、その動作、作用について説明する。図に示す実施の形態の酸素富化浴槽装置を浴槽湯中に投入し酸素富化装置１０を運転することにより、送風ファン１９から新鮮な空気が空気導入路３２を介して酸素富化装置１７へ供給され真空ポンプで減圧され高濃度酸素を生成し、窒素リッチとなった空気は再び空気排出路３３を介して浴室内１１へ放出される。高濃度酸素空気はフィルター３１を介して微細気泡として浴槽湯中に放出することができる。
【００３０】
この結果、入浴者は高濃度の酸素を吸いながら入浴することが可能で、入浴と高濃度酸素吸入と微細気泡入浴によるリラクゼーションの相乗効果を発揮できる。さらに、全身入浴となる水圧により胸部を多少圧迫した入浴状態であっても、高濃度酸素を吸入できることで酸素不足に陥りにくい為、長湯が可能で温浴効果を促進できる。また、酸素吸入による覚醒作用を発揮できる。
【産業上の利用可能性】
【００３１】
以上のように、本発明にかかる酸素富化浴槽装置は浴室のあらゆる場所に設けることが可能となるので、微細気泡風呂や、湖沼などの汚濁水の水質浄化装置、溶存酸素濃度増加用などの曝気装置、水生生物などの養殖用装置、飲料水や食品の改質装置、健康福祉機器、気液反応装置等の用途にも適用できる。
【図面の簡単な説明】
【００３２】
【図１】本発明の実施の形態１における酸素富化浴槽装置の全体構成図
【図２】本発明の実施の形態２における酸素富化浴槽装置の全体構成図
【図３】本発明の実施の形態３における酸素富化浴槽装置の全体構成図
【図４】本発明の実施の形態４における酸素富化浴槽装置の全体構成図
【図５】本発明の実施の形態５における酸素富化浴槽装置の全体構成図
【図６】従来の酸素富化浴槽装置の全体構成図
【符号の説明】
【００３３】
１０  浴槽湯循環装置
１２  浴槽
１３  エプロン
１４  循環回路
１６  天井部
１７  酸素富化装置
１９  送風ファン
２３  酸素配管
３０  酸素供給配管
３１  フィルター
３２  空気導入路
３３  空気排出路
【図１】
2005245747.tif 000003
【図２】
2005245747.tif 000004
【図３】
2005245747.tif 000005
【図４】
2005245747.tif 000006
【図５】
2005245747.tif 000007
【図６】
2005245747.tif 000008